(57)【要約】      （修正有）【課題】警報装置を備えた補聴器を提供する。【解決手段】本補聴器は、補聴器本体と前記補聴器本体の出力端子に接続コードを介して接続される別体のイヤホーンとを備えて成る補聴器において、前記補聴器本体に内蔵された補聴器用電源に電気的に接続された警報装置が前記補聴器本体に配設されたことを特徴とする。又、補聴器本体は、少なくとも、集音マイクと、警報音発生回路手段と、イヤホーンコード端子が抜き差し自在な音声出力端子とを備えたことを特徴とする。又、警報装置は、補聴器本体に設けられた警報用スイッチ手段３１と前記補聴器本体に内蔵された警報器３２とで構成されたことを特徴とする。又、警報器は電子音発生であることを特徴とする。【選択図】図３
0003173015.tif 000002
【実用新案登録請求の範囲】
【請求項１】
補聴器本体と前記補聴器本体の出力端子に接続コードを介して接続される別体のイヤホーンとを備えて成る補聴器において、
前記補聴器本体に内蔵された補聴器用電源に電気的に接続された警報装置が前記補聴器本体に配設されたことを特徴とする補聴器。
【請求項２】
補聴器本体は、少なくとも、集音マイクと、警報音発生回路手段と、イヤホーンコード端子が抜き差し自在な音声出力端子とを備えたことを特徴とする請求項１の補聴器。
【請求項３】
警報装置は、補聴器本体に設けられた警報用スイッチ手段と前記補聴器本体に内蔵された警報器とで構成されたことを特徴とする請求項1又は請求項２の補聴器。
【請求項４】
警報用スイッチ手段はＯＮ／ＯＦＦ方向スライド式スイッチであることを特徴とする請求項1乃至請求項３の何れかに記載の補聴器。
【請求項５】
警報器は電子音発生であることを特徴とする請求項1乃至請求項４の何れかに記載の補聴器。
【請求項６】
補聴器本体にはラジオ受信装置が内蔵されたことを特徴とする請求項1乃至請求項５の何れかに記載の補聴器。
【請求項７】
ラジオ受信装置はＡＭ及びＦＭ受信機能を備えたことを特徴とする請求項６の補聴器。
【請求項８】
ラジオ受信装置の電源は補聴器用電源であることを特徴とする請求項６又は請求項７の補聴器。
【請求項９】
警報器は、ラジオ受信装置のスピーカ音を補聴器本体の外部に通すよう前記補聴器本体の本体ケースに当該本体ケースを貫通するように無数の通孔が密集形成されたスピーカ音発生領域の前記本体ケース内側に設けられたことを特徴とする請求項６乃至請求項８の何れかに記載の補聴器。
【考案の詳細な説明】
【技術分野】
【０００１】
本考案は警報装置を備えた補聴器に関するものである。
【背景技術】
【０００２】
補聴器は難聴の人が常時携帯する必需品であり、一般に身体的な弱者である老人に携帯される。近時の東日本大震災の際には、地震や津波で倒壊した家屋等の瓦礫に閉じ込められた難聴の老人も少なくない。難聴の人には救助の人々の掛け声が届き難く、従って、即応した応答もままならないし、体力的にも弱いため、救助を求める声も大きくなく、しかも、長時間にわたって断続的に救助の声を発声させ続けることは極めて難しい。
【０００３】
補聴器を携帯する人、殊に身体的弱者である老人が救助を求めるのは、何も地震や津波等の天災時だけとは限らない。日常生活時においても、人目のつかない場所での、急な体調不良や転倒等による怪我や事故等、救助を必要とする場合は少なくないし、家庭内でも、家族との居室とが離れている場合もある。
【０００４】
又、人通りのある場所であっても、急な体調不良が生じた場合では、助け声を上げられなかったり、声を出しても周囲の人に気づいてもらえないことも少なくない。
【考案の概要】
【考案が解決しようとする課題】
【０００５】
本考案は、体力的弱者の難聴老人等が上記のような緊急事態が生じた際に、救助を求める警報音を発できる補聴器の提供を目的とする。
【課題を解決するための手段】
【０００６】
請求項１の補聴器の考案は、補聴器本体と前記補聴器本体の出力端子に接続コードを介して接続される別体のイヤホーンとを備えて成る補聴器において、前記補聴器本体に内蔵された補聴器用電源に電気的に接続された警報装置が前記補聴器本体に配設されたことを特徴とする。
【０００７】
請求項２の考案は、請求項１の補聴器において、補聴器本体は、少なくとも、集音マイクと、警報音発生回路手段と、イヤホーンコード端子が抜き差し自在な音声出力端子とを備えたことを特徴とする。
【０００８】
請求項３の考案は、請求項1又は請求項２の補聴器において、警報装置は、補聴器本体に設けられた警報用スイッチ手段と前記補聴器本体に内蔵された警報器とで構成されたことを特徴とする。
【０００９】
請求項４の考案は、請求項1乃至請求項３の何れかに記載の補聴器において、警報用スイッチ手段はＯＮ／ＯＦＦ方向スライド式スイッチであることを特徴とする。
【００１０】
請求項５の考案は、請求項1乃至請求項４の何れかに記載の補聴器において、警報器は電子音発生であることを特徴とする。
【００１１】
請求項６の考案は、請求項1乃至請求項５の何れかに記載の補聴器において、補聴器本体にはラジオ受信装置が内蔵されたことを特徴とする。
【００１２】
請求項７の考案は、請求項６の補聴器において、ラジオ受信装置はＡＭ及びＦＭ受信機能を備えたことを特徴とする。
【００１３】
請求項８の考案は、請求項６又は請求項７の補聴器において、ラジオ受信装置の電源は補聴器用電源であることを特徴とする。
【００１４】
請求項９警報器は、請求項６乃至請求項８の何れかに記載の補聴器において、ラジオ受信装置のスピーカ音を補聴器本体の外部に通すよう前記補聴器本体の本体ケースに当該本体ケースを貫通するように無数の通孔が密集形成されたスピーカ音発生領域の前記本体ケース内側に設けられたことを特徴とする。
【考案の効果】
【００１５】
請求項１乃至請求項９の各考案によれば、何れも、体力的弱者である難聴老人等が常時携帯する補聴器を用いて、緊急事態の際に救助を求める警報音を発生させることにより、容易に救助を求めることができる。
【００１６】
例えば、地震や津波で倒壊した家屋等の瓦礫に閉じ込められたり、遭難したりした際に、救助を求める声に代えて電気的な警報音を発生させることにより、声を上げ得ない緊急事態に陥っても、容易に救助を求めることができるし、電池の電力が消耗するまでは、比較的長時間にわたって、スイッチ操作により断続的に救助を求め続けることができる。
【００１７】
又、日常生活時においても、救助を必要とする緊急事態の際には、屋外や家庭内においても、容易に救助を求めることができる。
【００１８】
請求項６乃至請求項９の各考案は、何れも、ラジオ受信装置を備えているので、日常的にラジオ放送を楽しむことができると共に、地震や津波、或いは台風や洪水等の天災や社会的混乱によって緊急事態に陥った際に、ラジオ放送を通じて所要の情報を得ることができる。
【図面の簡単な説明】
【００１９】
【図１】図１は本考案の補聴器の正面側斜視図である。
【図２】図２は本考案の補聴器の外側のケースカバーを閉じた状態の背面側斜視図である。
【図３】図３は本考案の補聴器の外側のケースカバーを外した状態の背面側斜視図である。
【図４】図４は本考案の補聴器の右側面図である。
【考案を実施するための形態】
【００２０】
本考案を実施するための最良の形態として、警報装置のみならずラジオ受信装置をも備えた補聴器の実施例を図１乃至図４に基づいて、以下説明する。
【実施例】
【００２１】
図１乃至図４において、符号１は補聴器であり、この補聴器１は、図示されている補聴器本体１１と、当該補聴器本体１１の出力端子１２に接続コードを介して接続される図示されていない別体のイヤホーンとで構成された所謂ポケット型の補聴器（以下、ポケット型補聴器ともいう）であり、単に、拡聴器とも称される補聴器であって、所謂耳掛け式と呼ばれる高性能な補聴器とは異なる。
【００２２】
前記の出力端子１２は図示されていないイヤホーンコードの端子が抜き差し自在な音声出力端子であり、この補聴器本体１１には、この出力端子（音声出力端子）１２と、集音マイク１３と、補聴器用電源１４（以下、電源ともいう）としての電池、この例では単４乾電池２本と、２本の乾電池が収納される電池ホルダー１５と、図示されていない警報音発生回路手段等が内蔵（配設）されている。
【００２３】
警報装置３（３１〜３２及び１２）は、前記の補聴器本体１１に内蔵（配設）されており、前記の補聴器用電源１４に電気的に接続され、当該電源１４を共用電源としている。
そして、この警報装置３（３１〜３２及び１２）は、補聴器本体１１の一方の側面側に設けられた警報用スイッチ手段３１と、当該補聴器本体１１に内蔵された警報器３２（図３及び図４参照）と前記の音声出力端子１２とを備えている。
【００２４】
警報装置３の警報用スイッチ手段３１は、図において図の上下方向にスライドさせてＯＮ／ＯＦＦするスライド式スイッチを用いられているが、勿論、このスライド式スイッチは一例であり、これに限定されず、他の適当なスイッチを用いてもよい。
尚、各図において、警報用スイッチ手段３１は、下方向にスライドされたＯＦＦ状態である。
【００２５】
警報装置３の警報器３２は、電子音を発生させる発生器を用いているが、これも、勿論、警報発生手段としての一例であり、他の適当な警報音を発生させる警報発生手段、例えば、電気振動式ブザー等を用いてもよい。
【００２６】
この警報器３２は、補聴器本体１１に内蔵されている後述のラジオ受信装置４のスピーカ音発生領域４１、即ち、この実施例では図３及び図４に示すように、ラジオ音声であるスピーカ音を外部に通すように、補聴器本体１１の本体ケース１３の適所に、当該本体ケース１３を貫通するように無数の通孔を密集させて形成されたスピーカ音発生領域４１（図３及び図４）の前記本体ケース１３の内側（図４）に設けられている。
【００２７】
尚、当該スピーカ音発生領域４１が形成されている本体ケース１３の面（図３）は、図1乃至図２の比較から分かるように、スピーカ音発生領域４１（図３）に形成された無数の通孔と連通する通孔１４が形成されたカバーケース１５（図２）で開閉自在に覆われている。
【００２８】
図１において、実施例のラジオ受信装置４を簡単に説明する。
図中の符号４２は周波数を上げる周波数上げ操作ボタン、４３は周波数を下げる周波数下げ操作ボタン、４４は所望の周波に固定して記憶させる周波数記憶固定操作ボタンであり、周波数上げ操作ボタン４２と周波数下げ操作ボタン４３とを適宜押し操作することにより希望の周波数を設定（選局）することができ、その設定を周波数記憶固定操作ボタン４４を押し操作することにより記憶させて保存することができる。
【００２９】
又、符号４５は音量を上げる音量上げ操作ボタン、４６は音量を下げる音量下げ操作ボタンであり、音量上げ操作ボタン４５と音量下げ操作ボタン４６とを適宜押し操作することにより希望の音量に設定することができる。
【００３０】
このラジオ受信装置４は、ＡＭ及びＦＭ受信機能を備えた一般的な装置であり、電源は警報装置３の場合と同様に補聴器用電源１４を共用電源としている。
又、図１乃至図３にいて、符号４７は、補聴器ＯＮと、ラジオＯＮと，補聴器及びラジオＯＦＦの三段切り替えのスライド式スイッチであり、符号４８は補聴器の音量調節ダイヤルである。
【００３１】
この実施例の警報装置３では、警報用スイッチ手段３１がＯＮにスイッチされると、補聴器用電源１４から電気が警報音発生回路手段（図示せず）に供給され、当該回路がＯＮ状態となって、警報器３２から所定の音量例えば１００ｄＢで、所定の警報音例えば「ピー・ピー・ピー・・・」と断続的に電子音が発生するように、予め前記の警報音発生回路手段（図示せず）に設定されている。
【００３２】
この実施例の補聴器によれば、体力的弱者である難聴老人等が常時携帯する補聴器を用いて、緊急事態の際に救助を求める警報音を発生させることができ、声を上げ得ない緊急事態に陥った際には、家庭等の屋内や屋外等場所を選ばずに、容易に救助を求めることができる。
【００３３】
又、この実施例の補聴器によれば、警報装置と共にラジオ受信装置を備えているので、日常的にラジオ放送を楽しむことができるし、地震や津波、或いは台風や洪水等の天災や社会的混乱によって緊急事態に陥った際には、ラジオ放送を通じて所要の情報を得ることもできる利点がある。
【００３４】
又、この実施例の補聴器は上記のようにラジオ受信装置４を備えているが、本考案の警報装置３を備えた補聴器においては、ラジオ受信装置４とは電気的には無関係に構成され・配設されているから、必ずしもラジオ受信装置を備える必要はない。
【００３５】
ラジオ受信装置４を備えていない場合には、警報装置３の警報器３２は、この実施例の補聴器本体１１に内蔵されている後述のラジオ受信装置４のスピーカ音発生領域４１のような、即ち、この実施例の図３及び図４に示すように、ラジオ音声であるスピーカ音を外部に通すように、補聴器本体１１の本体ケース１３の適所に、当該本体ケース１３を貫通するように無数の通孔を密集させて形成されたスピーカ音発生領域４１（図３及び図４）と同様に、本体ケース１３の適所に、当該本体ケース１３を貫通するように無数の通孔を密集させて形成した警報音発生領域（図示せず）を設けて、この警報音発生領域が形成された本体ケース１３の内側に、例えば図４のように警報器３２を配設すればよい。
【００３６】
尚、警報器３２の配設は勿論この実施例に限らず補聴器本体の適所に適宜配設すればよいし、警報器３２も電子音発生器に限らず、他の適当な警報音発生手段を用いてもよい。
【産業上の利用可能性】
【００３７】
本考案は、警報装置の設置スペースを得難い所謂耳掛け式補聴器を除き、設置スペースを確保できる補聴器に広く利用することができる。
【符号の説明】
【００３８】
１    補聴器
１１  補聴器本体    
１２  出力端子（警報装置）    
１３  本体ケース（補聴器本体）
１４  補聴器用電源（警報装置）    
１５  カバケース（補聴器本体）
３    警報装置    
３１  警報用スイッチ手段（警報装置）
３２  警報器（警報装置）
４    ラジオ受信装置
４１  スピーカ音発生領域（警報音発生領域）
【図１】
0003173015.tif 000003
【図２】
0003173015.tif 000004
【図３】
0003173015.tif 000005
【図４】
0003173015.tif 000006